(57)【要約】【課題】  本発明は魚釣用リールに係り、従来に比し、握持保持性に優れ、且つメンテナンス性，経済性に優れたハンドルを装着した魚釣用リールを提供することを目的とする。【解決手段】  請求項１に係る発明は、リール本体に回転自在に支持したスプールを巻取り駆動するハンドルを装着した魚釣用リールに於て、前記ハンドルを、リール本体に装着した巻取り駆動機構に連結されるハンドルアームと、該ハンドルアームの端部に回転自在に抜け止め支持され、長手方向の反ハンドルアーム側に装着支持部が形成された筒状支持部材と、前記装着支持部に装着され、曲面状の外周形状を有する軟質材で形成された握持部のみからなるツマミ本体とで構成したことを特徴とする。【選択図】    図１
2010098956.tif 000002
【特許請求の範囲】
【請求項１】
リール本体に回転自在に支持したスプールを巻取り駆動するハンドルを装着した魚釣用リールに於て、
前記ハンドルを、リール本体に装着した巻取り駆動機構に連結されるハンドルアームと、
該ハンドルアームの端部に回転自在に抜け止め支持され、長手方向の反ハンドルアーム側に装着支持部が形成された筒状支持部材と、
前記装着支持部に装着され、曲面状の外形形状を有する軟質材で形成された握持部のみからなるツマミ本体とで構成したことを特徴とする魚釣用リール。
【請求項２】
前記筒状支持部材の反ハンドルアーム側端部にネジ部材を螺着可能に形成すると共に、該ネジ部材の外周に止着プレートを回転自在に取り付け、前記筒状支持部材に螺着するネジ部材を介して、前記握持部の反ハンドルアーム側に前記止着プレートを軸方向に当接させたことを特徴とする請求項１に記載の魚釣用リール。
【発明の詳細な説明】
【技術分野】
【０００１】
本発明は魚釣用リールに係り、詳しくはリール本体に回転自在に支持したスプールを巻取り駆動するハンドルに改良を加えた魚釣用リールに関する。
【背景技術】
【０００２】
従来、この種のハンドルは、リール本体の巻取り駆動機構に連結されたハンドルアームと、該ハンドルアームの先端に固着された支軸に回転可能に抜け止め支持された握持部（握り部）を有するツマミ本体とで構成されている。
【０００３】
そして、従来、実釣りとして、例えば重いジグと呼ばれるルアーを高速で巻き取るジギング釣りがあり、この釣りは、釣竿をシャクリつつ手でハンドルのツマミ本体を握持して高速で回転操作し乍ら、シャクリを繰り返すポンピング動作を行うものであるが、多くの釣りは、このように力を入れての回転操作が要求される処から、特許文献１または特許文献２に開示されるように、ツマミ本体を掌に沿うような球面状に形成したものが広く使用されている。
【０００４】
図３に示すように特許文献１に開示されたハンドル１は、ハンドルアーム３の先端に固着した支軸５に、筒状部７と球面状の握持部９を一体形成したツマミ本体１１を、支軸５の前後に配した軸受１３を介して回転自在に抜け止め支持したものである。
【０００５】
また、図４に示すように特許文献２に開示されたハンドル１５は、発泡樹脂からなる卵形状の握持部１７を外周に一体化した筒状支持部材１９を、ハンドルアーム２１に固着した支軸２３にネジ２５と軸受２７を用いて回転自在に抜け止め支持したもので、前記握持部１７の外周に更に軟質樹脂製のカバー２９を被覆してツマミ本体３１を形成し、前記ネジ２５の挿通孔３３をキャップ３５で閉塞した構造となっている。
【特許文献１】特開２００６−１２９８６４号公報
【特許文献２】特開２０００−３０８４４３号公報
【発明の開示】
【発明が解決しようとする課題】
【０００６】
しかし乍ら、図３に示すハンドル１は、ツマミ本体１１自体を、支軸５に確実に回転自在に抜け止め支持する構造上、筒状部７と球面状の握持部９を金属または硬質の樹脂材で形成しなければならないため、掌で握持する際にフィット感に欠ける不具合が指摘されていた。
【０００７】
また、図４に示すハンドル１５は、筒状支持部材１９全体を発泡樹脂からなる卵形状の握持部１７で覆い、更にその外周を軟質樹脂製のカバー２９で覆ってツマミ本体３１とした構造上、ツマミ本体３１のハンドルアーム２１側の径が太くなっている。
【０００８】
このため、掌でツマミ本体３１を握った際に、指先での締め付け保持力（握り込む力）が弱くなって握持保持性に劣ってしまうのが実情であった。
【０００９】
更に、使用経過による劣化で交換する場合、キャップ３５を取ってネジ２５を外し、筒状支持部材１９を含むツマミ本体３１全体を交換することとなり、メンテナンスの点で不経済である。
【００１０】
本発明は斯かる実情に鑑み案出されたもので、従来に比し、握持保持性に優れ、且つメンテナンス性，経済性に優れたハンドルを装着した魚釣用リールを提供することを目的とする。
【課題を解決するための手段】
【００１１】
斯かる目的を達成するため、請求項１に係る発明は、リール本体に回転自在に支持したスプールを巻取り駆動するハンドルを装着した魚釣用リールに於て、前記ハンドルを、リール本体に装着した巻取り駆動機構に連結されるハンドルアームと、該ハンドルアームの端部に回転自在に抜け止め支持され、長手方向の反ハンドルアーム側に装着支持部が形成された筒状支持部材と、前記装着支持部に装着され、曲面状の外周形状を有する軟質材で形成された握持部のみからなるツマミ本体とで構成したことを特徴とする。
【００１２】
そして、請求項２に係る発明は、請求項１に記載の魚釣用リールに於て、前記筒状支持部材の反ハンドルアーム側端部にネジ部材を螺着可能に形成すると共に、該ネジ部材の外周に止着プレートを回転自在に取り付け、前記筒状支持部材に螺着するネジ部材を介して、前記握持部の反ハンドルアーム側に前記止着プレートを軸方向に当接させたことを特徴とする。
【発明の効果】
【００１３】
請求項１に係る発明によれば、実釣時に掌の中にツマミ本体がフィット性よくホールドでき、而も、ハンドルアーム側の筒状支持部材がツマミ本体７７で覆われることなく小径化されて、掌にホールドしたツマミ本体をしっかりと指先で握り込むことができるため、従来に比し握持保持性が飛躍的に向上する利点を有する。
【００１４】
また、長期に亘る使用でツマミ本体が劣化した場合、筒状支持部材に装着したツマミ本体だけの交換で済むため、従来例に比し経済的である。
【００１５】
そして、請求項２に係る発明によれば、ネジ部材に対し止着プレートが分離して、実釣時に掌に直接接し易いこの止着プレートがネジ部材と分離して回転するため、ネジ部材の緩み発生がなく、ツマミ本体のガタツキを確実に防止することができる利点を有する。
【００１６】
また、長期に亘る使用でツマミ本体が劣化した場合、ネジ部材と止着プレートを取り外してツマミ本体だけの交換で済むため経済的である。
【発明を実施するための最良の形態】
【００１７】
以下、本発明の実施形態を図面に基づいて詳細に説明する。
【００１８】
図１は請求項１及び請求項２に係る魚釣用リールの一実施形態を示し、図中、４１，４３はフレーム４５の左右に取り付く側板で、両側板４１，４３とフレーム４５によって魚釣用リール４７のリール本体４９が構成されている。そして、両側板４１，４３間にスプール軸５１が軸受５３，５５によって支持部等に回転自在に支持され、該スプール軸５１を介して両側板４１，４３間にスプール５７が回転可能に支持されている。
【００１９】
そして、側板３側に突出するスプール軸５１には、スプール軸５１に設けたクラッチ部５９に係脱可能なピニオン６１が回転可能且つその軸方向へスライド可能に取り付けられており、従来と同様、リール本体４９に装着したクラッチレバー６３の操作でクラッチ部５９とピニオン６１とのクラッチ係合を係脱させると、スプール５７がスプールフリー状態（クラッチＯＦＦ：動力遮断状態）と釣糸巻取り状態（クラッチＯＮ：動力伝達状態）とに切り換わり、また、このスプールフリー状態で、側板４３側に装着したハンドル６５を釣糸巻取り方向へ回転させると、周知の復帰機構によってスプール５７がスプールフリー状態から釣糸巻取り状態へ復帰するようになっている。
【００２０】
図１に示すようにハンドル６５は、リール本体４９内に装着された後述する巻取り駆動機構６７のハンドル軸６９に連結されたハンドルアーム７１と、このハンドルアーム７１の端部に固着された支軸７３に筒状支持部材７５を介して回転自在に取り付くツマミ本体７７等で構成されている。
【００２１】
図２はハンドル６５の詳細を示し、前記筒状支持部材７５は、ハンドルアーム７１側の大径部７９に比し小径な装着支持部８１が反ハンドルアーム７１側に形成された筒体からなり、大径部７９と装着支持部８１との堺に、装着支持部８１側が平坦な鍔部８３が周方向に設けられている。そして、後述するように前記装着支持部８１にツマミ本体７７が装着されるため、図２に示すように装着支持部８１の外周には、脱落防止用の僅かな凹凸が周方向に設けられている。
【００２２】
また、筒状支持部材７５内には、前記支軸７３の貫通孔８５がハンドルアーム７１側に形成され、反ハンドルアーム３１側には、該貫通孔８５と中心軸を同じくして先端側内周に雌ネジ８７が螺刻されたネジ部材取付孔８９が前記貫通孔８５と連通して設けられている。
【００２３】
更に、貫通孔８５の前後の内周には、支軸７３の前後外周に装着した２つの軸受９１，９３を係止させる凹状の係止部９５，９７が周方向に設けられており、貫通孔８５内に挿入した支軸７３の挿入側先端部にネジ９９を螺着して、一方の軸受９１をこのネジ９９と係止部９５とで挟持し、他方の軸受９３を支軸７３の後部側に設けた環状のスペーサ１０１と係止部９７とで挟持することで、筒状支持部材７５が支軸７３に回転可能に抜け止め支持されている。そして、図１及び図２に示すように前記装着支持部８１に、外周が曲面状に形成され、中央に該装着支持部８１の挿入孔１０３が形成された軟質材（例えば、発泡ウレタン樹脂やコルク等）からなるツマミ本体７７が装着，接着されており、本実施形態のツマミ本体７７は、斯様に軟質材で外周形状が曲面状に形成された握持部のみからなり、実釣時に掌の中にツマミ本体７７がフィット性よくホールドできるようになっている。
【００２４】
そして、筒状支持部材７５の先端側端部にキャップ状のネジ部材１０５が螺着されて、ネジ部材取付孔８９が閉塞されている。
【００２５】
図２に示すように前記ネジ部材１０５は、前記雌ネジ８７に螺合する雄ネジ１０７が外周に螺刻された筒状部１０９と、外周に係止部１１１が形成された鍔部１１３とからなり、図示するように筒状部１０９に大径なリング状の止着プレート１１５が挿通している。そして、前記ネジ部材取付孔８９へのネジ部材１０５の締め付けに伴い、前記止着プレート１１５が前記係止部１１１に回転自在に係止して鍔部１１３と面一になり、且つ平坦に形成されたツマミ本体７７の反ハンドルアーム７１側に当接し乍ら、該ツマミ本体７７を前記鍔部８３とで挟持するようになっている。
【００２６】
その他、図２中、１１７はネジ部材１０５の筒状部１０９に挿着したＯ−リング、また、図１に於て、１１９はハンドル軸６９に回転可能に取り付くドライブギヤで、ドライブギヤ１１９は前記ピニオン６１に噛合している。そして、ドライブギヤ１１９とハンドル軸６９は周知のドラグ装置１２１によって摩擦結合されており、これらドライブギヤ１１９とピニオン６１，ドラグ装置１２１，ハンドル軸６９が、ハンドル６５の回転力をスプール５７に伝達させる巻取り駆動機構６７を構成している。
【００２７】
本実施形態に係る魚釣用リール４７はこのように構成されているから、クラッチレバー６３の操作でスプール５７をスプールフリー状態にすると、仕掛けの重量で釣糸がスプール５７から繰り出され、また、斯かる状態からハンドル６５の操作でスプール５７を釣糸巻取り状態に復帰させてハンドル６５を巻取り操作すれば、ハンドル６５の回転力が巻取り駆動機構６７によりスプール軸５１に伝達されてスプール５７が回転し、釣糸がスプール５７に巻き取られることとなる。
【００２８】
そして、既述したようにハンドル６５のツマミ本体７７は、軟質材で外周形状が曲面状に形成された握持部のみで形成されているから、実釣時に掌の中に握持部のみからなるツマミ本体７７がフィット性よくホールドでき、更に、ハンドルアーム７１側の筒状支持部材７５がツマミ本体７７で覆われることなく小径化されていることも相俟って、掌にホールドしたツマミ本体７７をしっかりと指先で握り込むことができる。
【００２９】
また、長期に亘る使用でツマミ本体７７が劣化した場合、ネジ部材１０５と止着プレート１１５を筒状支持部材７５から取り外してツマミ本体７７だけ交換すればよく、筒状支持部材７５の交換は不要である。
【００３０】
更に、ネジ部材１０５に対して止着プレート１１５が分離した構造となっているため、握持保持の際に掌に直接接し易い大径な該止着プレート１１５が、ネジ部材１０５と分離して回転することとなる。
【００３１】
このように本実施形態によれば、実釣時に掌の中にツマミ本体７７がフィット性よくホールドでき、而も、ハンドルアーム７１側の筒状支持部材７５がツマミ本体７７で覆われることなく小径化されて、掌にホールドしたツマミ本体７７をしっかりと指先で握り込むことができるため、図３，図４の従来例に比し握持保持性が飛躍的に向上する利点を有する。
【００３２】
また、長期に亘る使用でツマミ本体７７が劣化した場合、ネジ部材１０５と止着プレート１１５を外してツマミ本体７７だけの交換で済むため、図３や図４の従来例に比し経済的である。
【００３３】
更にまた、既述したようにネジ部材１０５に対し止着プレート１１５が分離して、実釣時に掌に直接接し易いこの止着プレート１１５がネジ部材１０５と分離して回転するため、ネジ部材１０５の緩み発生がなく、ツマミ本体７７のガタツキを確実に防止することができる利点を有する。
【図面の簡単な説明】
【００３４】
【図１】請求項１及び請求項２の一実施形態に係る魚釣用リールの要部切欠き平面図である。
【図２】ハンドルの分解断面図である。
【図３】従来のハンドルの断面図である。
【図４】従来の他のハンドルの断面図である。
【符号の説明】
【００３５】
４１，４３  側板
４５  フレーム
４７  魚釣用リール
４９  リール本体
５１  スプール軸
５７  スプール
６３  クラッチレバー
６５  ハンドル
６７  巻取り駆動機構
６９  ハンドル軸
７１  ハンドルアーム
７３  支軸
７５  筒状支持部材
７７  ツマミ本体
８１  装着支持部
８３，１１３  鍔部
８９  ネジ部材取付孔
１０５  ネジ部材
１０９  筒状部
１１１  係止部
１１５  止着プレート
【図１】
2010098956.tif 000003
【図２】
2010098956.tif 000004
【図３】
2010098956.tif 000005
【図４】
2010098956.tif 000006